(57)【要約】【課題】本発明の電話装置は、コールウエイティング機能を有する電話装置について、更なる利便性を高める。【解決手段】本発明の電話装置は、通話中に、第３者からの呼出しを受信した場合にその第３者の発呼者情報を第１の格納部に格納し、ユーザが第３者からの呼び出しに応答しないまま通話を続けた場合、その通話を終了させた後、所定時間内にＯＦＦを検出しないと電話装置のリンガー用スピーカ部から第１の格納部に格納された第３者の発呼者情報と共に呼び出しを受けたことを喚起するための音声メッセージをアナウンスする。【選択図】図２
2011250349.tif 000002
【特許請求の範囲】
【請求項１】
リンガー用スピーカ部を備える電話装置であって、
他の電話機と電話回線を介する通話中に、第３者の電話機からの呼出しを受信した場合に上記第３者の電話番号を含む発呼者情報を格納する第１の格納部と、
上記他の電話機との通話中に前記電話装置がＯＮフックされたことを検出するＯＮフック検知部と、
前記電話装置がＯＦＦフックされたことを検出するＯＦＦフック検知部と、
前記第１の格納部が上記第３者の発呼者情報を格納し、前記ＯＮフック検知部が前記第３者の電話機のＯＮフックを検出した後、当該検出時から所定時間内に前記ＯＦＦフック検知部が上記ＯＦＦを検出しないと、前記電話装置の前記リンガー用スピーカ部から前記第１の格納部に格納された第３者発呼者情報を上記ＯＮフック検出時から所定時間経過後に出力させる制御部と、
を備えることを特徴とする電話装置。
【請求項２】
上記通話中に前記第１の格納部に格納された第３者の電話番号と上記ＯＮフック検出時から所定時間内に有った前記電話装置による発呼に係る電話番号とを比較して一致するか否かを検出する比較部を有し、
前記ＯＮフック検知部が前記第３者の電話機のＯＮフックを検出した後、当該検出時から所定時間内に前記ＯＦＦフック検知部が上記ＯＦＦを検出し、かつ、前記比較部が不一致を検出した場合、前記制御部は、前記第１の格納部に格納された第３者発呼者情報を当該検出時から所定時間経過後に前記電話装置の前記リンガー用スピーカ部から出力することを保留することを特徴とする請求項１記載の電話装置。
【請求項３】
上記通話中に前記第１の格納部に格納された第３者の電話番号と上記ＯＮフック検出時から所定時間内に有った前記電話装置による発呼に係る電話番号とを比較して一致するか否かを検出する比較部を有し、
前記ＯＮフック検知部が前記第３者の電話機のＯＮフックを検出した後、当該検出時から所定時間内に前記ＯＦＦフック検知部が上記ＯＦＦを検出し、かつ、前記比較部が一致を検出した場合、前記制御部は、前記第１の格納部に格納された第３者発呼者情報を当該検出時から所定時間経過後に前記電話装置の前記リンガー用スピーカ部から出力することを停止することを特徴とする請求項１記載の電話装置。
【請求項４】
リンガー用スピーカ部を備える電話装置の制御方法であって、
他の電話機と電話回線を介する通話中に、第３者の電話機からの発呼を受けた場合に上記第３者の電話番号を含む発呼者情報を格納する第１のステップと、
上記他の電話機との通話中に前記電話装置がＯＮフックされたことを検出する第２のステップと、
当該検出時から所定時間内に前記ＯＦＦフック検知部が上記ＯＦＦを検出しないと、前記電話装置の前記リンガー用スピーカ部から上記格納された第３者発呼者情報を上記ＯＮフック検出時から所定時間経過後に出力させる第３のステップと、
を備えることを特徴とする電話装置の制御方法。
【請求項５】
上記第３のステップは、上記通話中に格納された第３者の電話番号と上記ＯＮフック検出時から所定時間内に有った前記電話装置による発呼に係る電話番号とを比較して一致するか否かを検出するステップを含み、
前記比較部が不一致を検出した場合、上記格納された第３者発呼者情報を当該検出時から所定時間経過後に前記電話装置の前記リンガー用スピーカ部から出力することを保留することを特徴とする請求項４記載の電話装置の制御方法。
【請求項６】
上記第３のステップは、上記通話中に格納された第３者の電話番号と上記ＯＮフック検出時から所定時間内に有った前記電話装置による発呼に係る電話番号とを比較して一致するか否かを検出するステップを含み、
前記比較部が一致を検出した場合、上記格納された第３者発呼者情報を当該検出時から所定時間経過後に前記電話装置の前記リンガー用スピーカ部から出力することを停止する
ことを特徴とする請求項４記載の電話装置の制御方法。
【請求項７】
親機および子機を備え、当該親機は通話用スピーカを有し、当該子機は、通話用のスピーカおよびリンガー用のスピーカを備える電話装置であって、
他の電話機と電話回線を介する通話中にて、第３者の電話機からの発呼を受けた場合に上記第３者の電話番号を含む発呼者情報を格納する第１の格納部と、
上記他の電話機との通話中に前記電話装置がＯＮフックされたことを検出するＯＮフック検知部と、
前記電話装置がＯＦＦフックされたことを検出するＯＦＦフック検知部と、
前記第１の格納部が上記第３者の発呼者情報を格納し、前記ＯＮフック検知部が前記第３者の電話機のＯＮフックを検出した後、当該検出時から所定時間内に前記ＯＦＦフック検知部が上記ＯＦＦを検出しないと、前記電話装置の前記子機のリンガー用スピーカ部又は前記親機のスピーカから所定の音声を上記ＯＮフック検出時から所定時間経過後に出力させる制御部と、
を備えることを特徴とする電話装置。
【請求項８】
前記子機のリンガー用スピーカ部および前記親機のスピーカのうちどちらから上記所定の音声を出力させるかを設定する設定部を備えることを特徴とする請求項７記載の電話装置。
【請求項９】
前記第１の格納部に格納された上記発呼者情報に名前が含まれている場合、その名前に含まれる所定の略語を削除する修正する修正部を備え、
前記制御部は、当該修正部により修正された名前を前記リンガー用スピーカ部から出力するように制御することを特徴とする請求項７記載の電話装置。
【請求項１０】
電話回線を介して他の電話機との通話中にて他の外線電話から受信した発呼者情報を格納する格納ステップと、
当該電話のＯＮフック又は上記通話中の外線電話の通話切断を検出し、上記格納された発呼者情報に含まれる電話番号に基づいて当該電話による発呼が行われた後、前記電話が再度ＯＮフックされたことを検出する検出ステップと、
上記検出により、上記発呼した電話番号を含む上記発呼者情報を電話帳に自動的に登録する登録ステップと、
を含むことを特徴とする発呼者情報登録方法。
【請求項１１】
上記検出ステップにて、当該電話がＯＮフックされたことを検出することにより、上記発呼者情報を音声出力することを特徴とする請求項１０記載の発呼者情報登録方法。
【請求項１２】
上記登録ステップにて、上記発呼者情報を所定の略語を削除するように修正して自動的に登録することを特徴とする請求項１０記載の発呼者情報登録方法。
【発明の詳細な説明】
【技術分野】
【０００１】
本発明は、電話装置による通話中に受けた第３者からの発呼について処理を行なう電話装置、電話装置の制御方法並びに発呼者情報登録方法に関する。
【背景技術】
【０００２】
従来の電話装置では、ユーザが自ら発呼したことによる通話の途中又は相手から呼び出されたことによる通話の途中に、第３者からの呼出しを受けた場合、通話中のユーザは、電話装置の所定のボタンを押下することによってその第３者との通話を行った後に、再度、以前の相手との通話が可能である。また、その第３者からの通話の記録は、所定の操作によって電話装置の着信履歴として表示される。また、従来の電話装置では、通話中に第３者からの呼出しを受けた場合、その呼出しに応答せず、今行っている通話を継続した場合であっても、第３者からの通話の記録は着信履歴に残される。その場合、その通話終了後にユーザの所定の操作によって電話装置の表示部に表示される着信履歴を参照することにより、通話中に呼出しを受けた相手方（第３者）の情報を確認することができるようになっている。
【先行技術文献】
【特許文献】
【０００３】
【特許文献１】特開２００２−１３５４４４号公報
【発明の概要】
【発明が解決しようとする課題】
【０００４】
従来の電話装置では、ユーザは、上述のように、上記着信履歴を参照する操作をしないと、その第３者の情報を知ることが出来ず、また、ユーザが通話中の呼出しを忘れてしまった場合には、第３者に対して呼び返す機会を逸してしまう。
【０００５】
（特許文献１）には、ユーザがその通話中に第３者からの呼出しが有った際に、その第３者に応答しなかった場合、通話後に通常の呼出し音とは異なる呼出し音＜０．５秒鳴動、１秒休止＞を出力するＩＳＤＮターミナルアダプタが開示されている。ＩＳＤＮターミナルアダプタは、接続された電話機のユーザがＩＳＤＮ回線を使って通話中に第３者からの呼出しが有った際、ＩＳＤＮ回線から送られた該第３者の発呼者電話番号を記録しておく。ユーザがその第３者の呼出しに応答しなかった場合には、ユーザが通話を終了して受話器をオンフックすると通常の呼出し音＜１秒鳴動、２秒休止＞とは異なる呼出し音＜０．５秒鳴動、１秒休止＞を出力することによりユーザに通知する。
【０００６】
（特許文献１）には、接続された電話装置のユーザがＩＳＤＮ回線を使って通話中に第３者からの呼出しが有った際、ＩＳＤＮ回線から送られたその第３者の発呼者電話番号を記録しておくＩＳＤＮターミナルアダプタが開示されている。ユーザが通話中に第３者からの呼出しが有り、その第３者に応答しなかった場合、その電話装置に連結するＩＳＤＮターミナルアダプタは通話後に通常の呼出し音＜１秒鳴動、２秒休止＞とは異なる呼出し音＜０．５秒鳴動、１秒休止＞を電話装置へ送り、その呼出し音が電話装置から出力される。ユーザはその呼出し音を聞いて電話機をオフフックすると、ＩＳＤＮターミナルアダプタ内の音声合成回路が第３者の発信者番号を音声データに変換し、アナログ端末インタフェース回路を介して電話機へ送出する。これにより通信中に着信をかけてきた相手の電話番号をユーザへ通知することができる。
【０００７】
しかしながら、頻繁に呼出しを受けるユーザにとっては、上述のように、電話装置がＯＮフックされたことによって通常の呼出し音とは異なる呼出し音が、例えば、受話器の通話用のスピーカから出力されることにより、通話中に第３者からの呼び出しが有ったことのみを知ることは、ユーザにとって利便性と迅速な対応性に欠け、また、ユーザが、通話後、一旦、電話装置をＯＮフックした後に、再度、ユーザがオフフックすることによって第３者の電話番号のみを知ることは、ユーザにとって非常に煩雑であり、更に電話番号のみを知っても誰の電話番号であるか分からず、コールバックするまでにその第３者の確認が必要で有った。
【課題を解決するための手段】
【０００８】
本発明の電話装置は、リンガー用スピーカ部を備える電話装置であって、電話回線を介して他の電話機との通話中にて、第３者からの呼出しを受信した場合に上記第３者の電話番号を含む発呼者情報を格納する第１の格納部と、上記他の電話機との通話中に前記電話装置がＯＮフックされたことを検出するＯＮフック検知部と、前記電話装置がＯＦＦフックされたことを検出するＯＦＦフック検知部と、前記第１の格納部が上記第３者の発呼者情報を格納し、前記ＯＮフック検知部が前記第３者の電話機のＯＮフックを検出した後、当該検出時から所定時間内に前記ＯＦＦフック検知部が上記ＯＦＦを検出しないと、前記電話装置の前記リンガー用スピーカ部から前記第１の格納部に格納された第３者発呼者情報を上記ＯＮフック検出時から所定時間経過後に出力させる制御部と、を備え構成される。
【０００９】
また、本発明の電話装置は、親機および子機を備え、当該親機は通話用スピーカを有し、当該子機は、通話用のスピーカおよびリンガー用のスピーカを備える電話装置であって、他の電話機と電話回線を介する通話中にて、第３者の電話機からの発呼を受けた場合に上記第３者の電話番号を含む発呼者情報を格納する第１の格納部と、上記他の電話機との通話中に前記電話装置がＯＮフックされたことを検出するＯＮフック検知部と、前記電話装置がＯＦＦフックされたことを検出するＯＦＦフック検知部と、前記第１の格納部が上記第３者の発呼者情報を格納し、前記ＯＮフック検知部が前記第３者の電話機のＯＮフックを検出した後、当該検出時から所定時間内に前記ＯＦＦフック検知部が上記ＯＦＦを検出しないと、前記電話装置の前記子機のリンガー用スピーカ部又は前記親機のスピーカから所定の音声を上記ＯＮフック検出時から所定時間経過後に出力させる制御部と、を備えて構成される。
【００１０】
更に、本発明の発呼者情報登録方法は、電話回線を介して他の電話機との通話中にて他の外線電話から受信した発呼者情報を格納する格納ステップと、当該電話のＯＮフック又は上記通話中の外線電話の通話切断を検出し、上記格納された発呼者情報に含まれる電話番号に基づいて当該電話による発呼が行われた後、前記電話が再度ＯＮフックされたことを検出する検出ステップと、上記検出により上記発呼した電話番号を含む上記発呼者情報を電話帳に自動的に登録する登録ステップと、を含み構成される。
【発明の効果】
【００１１】
本発明の電話装置は、コールウエイティング機能の更なる利便性を高めることができ、かつユニバーサルデザインとしても有益である。
【図面の簡単な説明】
【００１２】
【図１】本発明の実施例の電話装置の回路構成ブロック図
【図２】本発明の実施例の電話装置の機能構成ブロック図
【図３】本発明の実施例の電話装置の検知部の構成図
【図４】本発明の実施例の電話装置において通話中に別の相手から着信を受けた場合のコールウエイティングに関わる動作を説明するための説明図
【図５】コールウエイティング時に応答せずに通話を継続し、通話相手の操作で終話する場合の動作を示す説明図
【図６】コールウエイティング時に応答せずに通話を継続し、電話装置のユーザ自らの操作により終話する場合の動作を示す説明図
【図７】本発明の実施例の電話装置の設定情報格納部に格納される情報の説明図
【図８】本発明の実施例の電話装置の設定情報格納部に格納される情報の説明図
【図９】本発明の実施例の電話装置の電話帳の構成説明図
【図１０】本発明の実施例の電話装置の電話帳の構成説明図
【図１１】本発明の実施例の電話装置の修正部による修正パターンの説明図
【図１２】本発明の実施例の電話装置の修正部による修正前の説明図
【図１３】本発明の実施例の電話装置の修正部による修正後の説明図
【図１４】本発明の実施例の電話装置の修正部による修正前の説明図
【図１５】本発明の実施例の電話装置の修正部による修正後の説明図
【図１６】本発明の実施例の電話装置の受信した発呼者情報格納部および設定情報格納部の説明図
【図１７】本発明の実施例の電話装置の動作を説明するフローチャート
【図１８】本発明の実施例の電話装置の動作を説明するフローチャート
【図１９】本発明の実施例の電話装置の動作を説明するフローチャート
【図２０】本発明の実施例の電話装置の動作を説明するフローチャート
【図２１】本発明の実施例の電話装置の動作を説明するフローチャート
【図２２】本発明の実施例の電話装置の動作を説明するフローチャート
【図２３】本発明の実施例の電話装置の主要な動作の説明図
【図２４】本発明の実施例の電話装置の子機の全体概観斜視図
【図２５】本発明の実施例の電話装置の親機の全体概観斜視図
【発明を実施するための形態】
【００１３】
本発明の電話装置は、コールウエイティング機能を有する電話装置について、更に利便性を高めるために、発呼者情報を出力するタイミングを有効なものとした。
【実施例】
【００１４】
以下に、本実施例における電話装置について図面を参照しながら詳細に説明する。まず、図１において、本実施例における電話装置の回路構成について説明する。
【００１５】
電話装置は、公衆回線Ｃと接続する親機Ａ（ベースニットＡ）と、この親機Ａと無線により通信する子機Ｂ（ハンドセットＢ）とを備える。まず、親機Ａの構成および機能について説明する。
【００１６】
親機Ａは、電話回線インタフェース（ＴＥＬ  ｌｉｎｅ  Ｉｎｔｅｒｆａｃｅ）１、信号処理部（ＤＳＰ  ＩＤ）２、格納部（Ｆｌａｓｈ  ｍｅｍｏｒｙ）３、無線部（ＲＦ  Ｐａｒｔ）４、アンテナ（Ａｎｔｅｎｎａ）５、表示部（ＬＣＤ）６、操作部（Ｋｅｙｓ）７、マイクロフォン（Ｍｉｃｒｏｐｈｏｎｅ）８、スピーカ（Ｓｐｅａｋｅｒ）９を備えている。
【００１７】
電話線インタフェース１は、公衆回線Ｃと親機Ａとを接続する回路であり、公衆回線Ｃを介してＤで示した各Ｒｉｎｇ信号およびＣａｌｌｅｒＩＤ信号を受け、また、通話信号の送信および受信を行なう。更に、電話回線インタフェース１は、公衆回線Ｃからの着信や終話を物理的に検知したり、公衆回線Ｃの物理的な閉結および開放を行なう。
【００１８】
信号処理部（ＤＳＰ  ＩＣ）２は、音声処理および電話装置全体の動作を制御する回路であり、後述するアナログマルチプレクサ（Ａｎａｌｏｇ  Ｍｕｌｔｉ−Ｐｌｅｘｅｒ）２ａ、コーデック（ＣＯＤＥＣ）２ｂ、ＣＰＵ（Ｃｅｎｔｒａｌ  Ｐｒｏｃｅｓｓｉｎｇ  Ｕｎｉｔ）等からなるＣＰＵブロック２ｃ、更に、音声符号復号化処理部（ＡＣＰＣＭ）２ｄ、時分割多重処理部（ＴＤＤ＆ＴＤＭＡ  Ｐｒｏｃｅｓｓｏｒ）２ｅから構成される。
【００１９】
格納部３は、信号処理部２が書き込みや参照を行なうメモリであり、電話番号と対応する名前等の綴り等の文字データ等を格納する電話帳や、ＣＰＵブロック２ｃの動作に必要なプログラム等を格納している。
【００２０】
無線部（ＲＦ  Ｐａｒｔ）４は、電波を送受信するアンテナ５と共に子機Ｂとの間の無線通信を行なうための無線回路であり、アンテナ５に誘起した無線電波信号を受信して信号処理部２に供給する。また、アンテナ５は、無線電波信号の送信処理も行なう。更に、無線部４は、アンテナに誘起される電圧情報を信号処理部２に供給する。この電圧情報は、信号処理部２のＣＰＵブロック２ｃにおいて電界強度として処理される。
【００２１】
表示部６は、液晶を利用した表示装置であり、信号処理部２のＣＰＵブロック２ｃからの制御に基づいて各種表示を行なう。例えば、信号処理部２から供給されるＣａｌｌｅｒＩＤ信号に対応する電話番号および名前等を表示する。操作部（ｋｅｙｓ）７は、「ダイアル」キー、「保留」キー、「通話」キー等から構成され、ダイアル入力の他、格納部（Ｆｌａｓｈ  ｍｅｍｏｒｙ）３内の電話帳に電話番号や名前の綴りを入力する等の親機Ａの操作をするためのキーでもあり、そのキー操作は、信号処理部（ＤＳＰ  ＩＣ）２のＣＰＵブロック２ｃに供給されユーザからの指示として処理される。
【００２２】
マイクロフォン（Ｍｉｃｒｏｐｈｏｎｅ）８は、不在メッセージ等を録音したり、ハンズフリー通話（送受話器を手に持つことなく通話すること）を行なう場合に、ユーザからの音声を入力する。スピーカ（Ｓｐｅａｋｅｒ）９は、着信時の呼び出し音を鳴らし、信号処理部（ＤＳＰ  ＩＣ）２から供給されるＣａｌｌｅｒＩＤ信号に対応する電話番号および名前を発声する。また、このスピーカ（Ｓｐｅａｋｅｒ）９は、ハンズフリー通話を行なう場合に通話相手の音声を出力する。
【００２３】
ここで、信号処理部（ＤＳＰ  ＩＣ）２の構成について詳細に説明する。アナログマルチプレクサ（Ａｎａｌｏｇ  Ｍｕｌｔｉ−Ｐｌｅｘｅｒ）２ａは、複数の入力信号から１つの信号を選択して出力する回路であり、例えば、電話線インタフェース（ＴＥＬ  ｌｉｎｅ  ｉｎｔｅｒｆａｃｅ）１とマイクロフォン（Ｍｉｃｒｏｐｈｏｎｅ）８とからの入力を切り換えて、コーデック（ＣＯＤＥＣ）２ｂに出力する。このアナログマルチプレクサ２ａは、図１では、電話線インタフェース１、マイクロフォン８、スピーカ９、コーデック２ｂとの間で入出力するアナログ音声信号を切り換える。
【００２４】
コーデック２ｂは、アナログ信号とデジタル信号の変換を行なうコーデックである。このコーデック２ｂは、マイクロフォン８や電話線インタフェース１を経由して電話回線から到来する音声帯域のアナログ信号をデジタルに変換または逆変換する。
【００２５】
ＣＰＵブロック２ｃは、ＣＰＵ等からなる電子回路であり、バス（信号線）を介して格納部３等の格納装置や操作部７等の入出力回路に接続されてデジタル音声信号に対して種々の処理を行なう。
【００２６】
音声符号化／復号化処理部（ＡＤＰＣＭ）２ｄは、子機Ｂとの通信に用いる音声を符号化／復号化するための処理部である。ここでは適応量子化を用いた符号化の１つである適応差分ＰＣＭ（Ａｄａｐｔｉｖｅ  Ｄｉｆｆｅｒｅｎｔｉａｌ  ＰＣＭ：ＡＤＰＣＭ）を用いている。
【００２７】
時分割多重処理部（ＴＤＤ＆ＴＤＭＡ  Ｐｒｏｃｅｓｓｏｒ）２ｅは、子機Ｂとの間で時分割通信するための通信方式を実現するための処理部であり、子機Ｂから親機Ａへの通信（上り通信）と、その逆、親機Ａから子機Ｂへの通信（下り通信）を分けるために、時間を区切って通信する。
【００２８】
以上が信号処理部２の構成であるが、ＣＰＵブロック２ｃは、格納部３に格納された制御プログラムを読み込み実行することにより（Ａｐｐｌｉｃａｔｉｏｎ  ｂｌｏｃｋとして図示している）、例えば、次のサービスに対応した動作を行なうことが可能となる。
【００２９】
例えば、北米では、電話回線を用いてＣａｌｌｅｒＩＤと呼ばれるサービスが実施されており、このサービスは、Ｒｉｎｇ信号のベル停止期間中に、発呼側の電話番号や名前等のデータをＣａｌｌｅｒＩＤ信号として交換局から被呼側に送信するサービスである（搬送される状況を公衆回線から電話線インタフェース１の間のデータとして図示している）。
【００３０】
このＲｉｎｇ信号、ＣａｌｌｅｒＩＤ信号を、電話線インタフェース１、アナログマルチプレクサ２ａ、コーデック２ｂを経由して、ＣＰＵブロック２ｃが受け取ると、着信を検知し、音声符号化／復号化処理部（ＡＤＰＣＭ）２ｄを経由して子機Ｂに送信すると共に、制御プログラムを実行してＣａｌｌｅｒＩＤ信号から発呼側の電話番号や名前等のテキストデータを抽出し（Ｃａｌｌｅｒ  ＩＤ  Ｍｏｄｅｍとして図示している）、対応する音素データを組み合わせて読み上げ音声信号を生成する（ＴＴＳ  ｂｌｏｃｋとして図示している）。
【００３１】
また、ＣａｌｌｅｒＩＤ信号から抽出され生成された発呼側の電話番号や名前等の読み上げ音声信号は、ＣＰＵブロック２により、コーデック２ｂ、アナログマルチプレクサ２ａを経由してスピーカ９から音声として出力される。つまり、本電話装置は、発呼側の電話番号や名前等を親機Ａが読み上げることが可能である。
【００３２】
次に、子機Ｂの構成および機能について説明する。図１を参照して、子機Ｂは、信号処理部（ＤＳＰ  ＩＣ）１０、格納部（ＥＥＰＲＯＭ  ｍｅｍｏｒｙ）１１、無線部（ＲＦ  Ｐａｒｔ）１２、アンテナ（Ａｎｔｅｎｎａ）１３、表示部（ＬＣＤ）１４、操作部（ｋｅｙｓ）１５、マイクロフォン（Ｍｉｃｒｏｐｈｏｎｅ）１６を備え、更に、スピーカ（Ｓｐｅａｋｅｒ）１７、リンガー用スピーカ（ＭＯＮＩＴＯＲ  ｓｐｅａｋｅｒ）１８を備えている（図２４参照）。
【００３３】
子機Ｂの構成は、次のように親機Ａと対応しており、即ち、信号処理部（ＤＳＰ  ＩＣ）１０は、親機の信号処理部（ＤＳＰ  ＩＣ）２と、格納部（ＥＥＰＲＯＭ  ｍｅｍｏｒｙ）１１は、親機の格納部（Ｆｌａｓｈ  ｍｅｍｏｒｙ）３と、無線部（ＲＦ  Ｐａｒｔ）１２は、親機の無線部（ＲＦ  Ｐａｒｔ）４と、アンテナ（Ａｎｔｅｎｎａ）１３は、親機のアンテナ（Ａｎｔｅｎｎａ）５と、表示部（ＬＣＤ）１４は、親機の表示部（ＬＣＤ）６と、操作部（ｋｅｙｓ）１５は、親機の操作部（ｋｅｙｓ）７と、マイクロフォン（Ｍｉｃｒｏｐｈｏｎｅ）１６は、親機のマイクロフォン（Ｍｉｃｒｏｐｈｏｎｅ）８と対応して同等の機能を有している。よって、その対応部分の説明は省略する。
【００３４】
更に、スピーカ１７は、通常通話時の通話相手の音声を出力する通話用スピーカである。リンガー用スピーカ１８は、着信時の呼び出し音を鳴らし、また、信号処理部（ＤＳＰ  ＩＣ）２から供給されるＣａｌｌｅｒＩＤ信号に対応する電話番号および名前等を発声する。また、このリンガー用スピーカ１８は、ハンズフリー通話を行なう場合に、通話相手の音声を出力する。
【００３５】
以上、説明した電話装置の構成に沿って、次に、外部の電話から呼び出しを受けて子機Ｂにて通話に至る「音声情報の流れ」を簡単に説明する。
【００３６】
この電話装置に通話相手からの呼び出しがあると、公衆回線Ｃから呼制御手順に従いＲｉｎｇ信号等の呼び出し信号が親機Ａの電話線インタフェース１に送信されてくる。この呼出信号はアナログマルチプレクサ２ａ、コーデック２ｂを経由して、ＣＰＵブロック２ｃが受け取ると、着信を検知し、音声符号化／復号化処理部２ｄを経由して子機Ｂに送信される。
【００３７】
子機Ｂは、アンテナ１３で受信した親機Ａからのデータを無線部１２で受信処理（図示しない変復調部でその受信データを復調）し、信号処理部１０で時分割多重処理、呼制御処理、音声復号化処理を行なって、呼び出し信号をリンガー用スピーカ１８から音声出力する。
【００３８】
呼び出しに応答するため、操作部１５の「通話」キーをユーザが押下すると、信号処理部（ＤＳＰ  ＩＣ）１０は、「通話」キー押下を検知し、呼制御処理によるｃｏｎｎｅｃｔ信号を上述の経路とは逆の経路を通して親機Ａに送信する。
【００３９】
子機Ｂからのｃｏｎｎｅｃｔ信号を受信した親機Ａは、上述の呼び出し経路とは逆の経路を通して公衆回線（通話相手）に送信することにより通話状態に遷移する。
【００４０】
この通話状態では、通話相手からの通話音声信号は、上述の経路を経由して子機Ｂに送信される。子機Ｂは、アンテナ１３で受信した親機Ａからのデータを無線部１２で受信処理（図示しない変復調部でその受信データを復調）し、信号処理部１０で時分割多重処理、呼制御処理、音声復号化処理を行なって、通話音声信号をスピーカ１７から音声出力する。
【００４１】
また、子機Ｂから通話相手への送話は、マイクロフォン１６から入力した音声を上述の音声出力とは逆の経路を通して親機Ａを介して公衆回線に送信する。以上のプロセスにより、通話相手と子機Ｂとは通話を継続する。
【００４２】
更に、子機Ｂから終話する場合、操作部１５の「終了」キーをユーザが押下すると信号処理部１０は、「終了」キー押下を検知し、呼制御処理による終話音を親機Ａの制御部へ送信する。子機Ｂからの終話音を受信した親機Ａの制御部は、上述の呼び出し経路とは逆の経路を通して通話相手へ終話を通知すると共に、電話線インタフェース１を制御して直流ループを切断することにより局交換機との通話路を切断する。
【００４３】
他方、通話相手が終話した場合、局交換機によって供給される直流電圧は極性反転され、相手側の局交換機から終話音が送られる。局交換機から受信した終話音は、通話音声信号と同じ経路を経由して子機Ｂのスピーカ１７から音声出力される。このときの音声はユーザにとって「ビジートーン」として認識されるトーン信号である。ビジートーンを聴取したユーザが通話相手の終話を知り、操作部１５の「終了」キーを押下すると、上述した子機Ｂから終話する場合と同様の処理を行って終話する。
【００４４】
以下に、図２を参照して、本図には、本発明の実施例における電話装置の機能構成ブロック図が示されており、以下に、この図２に図示した電話回路の機能構成を図１に示す回路構成と対比してその対応関係を示す。
【００４５】
親機Ａの通信部２１は、電話回線インタフェース１によって実現される。検知部２２は、ＣＰＵブロック２ｃによって実現される。格納部２３は、格納部３によって実現される。スピーカ部２４ｓは、スピーカ９によって実現される。音声合成部３２は、ＣＰＵブロック２ｃによって実現される。表示部２５は、表示部６によって実現される。比較部２６は、ＣＰＵブロック２ｃによって実現される。入力操作部２７は操作部７によって実現される。
【００４６】
また、設定部２８は、ＣＰＵブロック２ｃによって実現される。修正部２９は、ＣＰＵブロック２ｃによって実現される。送受信部３０、は無線部（ＲＦ  Ｐａｒｔ）４とアンテナ５とによって実現される。また、子機Ｂの送受信部３１は、無線部１２とアンテナ１３とによって実現される。音声合成部３２は、ＣＰＵブロック２ｃ（子機ＢのＤＳＰ  ＩＣ１０に内蔵）によって実現される。
【００４７】
通信用スピーカ部３２ｓは、スピーカ１７によって実現される。リンガー用スピーカ部３３は、リンガー用スピーカ１８によって実現される。表示部３４は、表示部１４によって実現される。マイク部３５は、マイクロフォン１６によって実現される。格納部３６は、格納部１１によって実現される。入力操作部３７は、操作部１５によって実現される。出力情報格納部３８は、格納部１１によって実現される。制御部４０は、信号処理部１０等によって実現される。
【００４８】
次に、図２および図３を参照して、本発明の実施例に係る電話装置の機能構成ブロックに記載した各構成要素について詳細に説明する。
【００４９】
図２において、親機Ａは検出部２２を備え、この検出部２２は、図３に示すように、切断信号検知部２２ａ、ＯＮフック検知部２２ｂ、電界強度検知部２２ｄ、呼出信号検知部２２ｅおよび設定状況検知部２２ｆの５つの検知部を有する。
【００５０】
まず、切断信号検知部２２ａは、通話相手の電話機が通話を切断したことを示すトーン（切断）信号を検出する。ＯＮフック検知部２２ｂは、ユーザが親機Ａまたは子機Ｂの所定のボタンを押下することにより通話を切断したことを示すＯＮフック信号を検出する。電界強度検知部２２ｄは、親機Ａと子機Ｂとの通話における電界強度を検出し、その強度が所定の閾値に達したか否かを判断する（詳細は後述する）。呼出信号検知部２２ｅは、通話相手側から送信された呼出信号を検出する。更に、設定状況検知部２２ｆは、後述の所定の格納部に設定された設定情報を検出する。
【００５１】
図２に戻って、格納部２３は、公衆回線Ｃを介して通話相手側から入手した発呼者情報の電話番号、名前等を一時的に格納する発呼者情報格納部（第１の格納部）２３ａ、既に登録された発呼者情報が格納された電話帳（第２の格納部）２３ｂ、所定の音声情報を格納する音声情報格納部（第３の格納部）２３ｃ、ユーザが設定した各種設定情報を格納する設定情報格納部（第４の格納部）２３ｄ、親機全体を制御するソフトウエアプログラムを格納する制御プログラム格納部（第５の格納部）２３ｅ、各スピーカ部および表示部２５により出力される情報を格納する出力情報格納部（第６の格納部）２３ｆ、および後述する比較部６による２つの電話番号の比較結果を格納する比較結果格納部（第７の格納部）２３ｇを有する。
【００５２】
スピーカ部２４ｓは、ユーザが通話時に使用するスピーカ機能を有する部であり、本実施例では、このスピーカ部４からの音声は、親機Ａの周囲にも聞こえるようになっている。音声合成部３２は、入手した発呼者情報等のテキスト情報を音声情報に変換する。また、表示部２５は、外線から送信されてきた発呼者情報である発呼者の電話番号、名前等を表示する。
【００５３】
比較部２６は、通信部２１が受信して第１の格納部２３ａに格納された発呼者情報の一部である電話番号と第２の格納部２３ｂに格納された発呼者情報の一部である電話番号とを比較して一致するか否かを判断する。更に、比較部２６は、通信部２１が受信して第１の格納部２３ａに格納された発呼者情報の一部である電話番号とユーザが入力操作部２７（後述）を介して入力した電話番号により発呼した場合のその電話番号とを比較して、一致するか否かを判断する。それらの比較結果は、上記の第７の格納部２３ｇに格納される。
【００５４】
次に、入力操作部２７は、後述する設定部２８および修正部２９による設定や修正についての入力を行なう。上記設定部２８は、親機Ａの各種機能についての設定を行なう。上記修正部２９は、発呼者情報格納部２３ｂに格納された発呼者情報および第２の格納部２３ｂに格納された発呼者情報の修正を行なう。送受信部３０は、後述の子機Ｂの送受信部３１と通話、情報の送受信等の通信を行なう。更に、制御部２０は、本親機全体の動作制御を行なう。
【００５５】
次に、子機Ｂの機能について詳細に説明する。親機Ａに着信があると、その呼出信号は、親機Ａの通信部２１および送受信部３０を介し、更に、子機Ｂの送受信部３１を介して、通話用スピーカ部３２ｓに達し、通話用スピーカ部３２ｓは、リンガー音を送出する。また、親機Ａの送受信部３０から送られてきた音声情報および文字情報は、子機Ｂの送受信部３１に送られ、通話時の音声情報は、リンガー用スピーカ部３３にてアナウンス出力され、また、文字情報は、表示部３４にて表示出力され、また、通話用スピーカ部３２からアナウンスされる。
【００５６】
子機Ｂのマイク部３５は、ユーザが通話時に使用するマイク機能を有する。子機Ｂの格納部３６は、子機Ｂ全体を制御する制御ソフトウエアプログラムを格納する。子機Ｂの入力操作部３７は、子機の各種の機能を作動させ、また、そのための入力も行なう。子機Ｂの出力情報格納部３８は、表示部３４に表示される文字情報および通話用スピーカ２２ｓから出力される音声情報を格納する。更に、子機Ｂの制御部３９は、子機全体の制御を行なう。
【００５７】
次に、図４、図５および図６を参照して、電話装置の子機Ｂを使用して他の電話機との通話中に別の相手（第３者）から着信を受けた場合のコールウエイティングについて、その概略を説明する。
【００５８】
まず、図４の例では、最初は本発明の実施例における電話装置Ｉ（親機Ａおよび子機Ｂを有する）と他の電話機ＩＩが電話回線網を介して通話状態であり、この状態で他の電話機ＩＩＩが電話装置Ｉに呼び出しをかけた場合を示す。
【００５９】
他の電話機ＩＩＩが電話装置Ｉを呼ぶための発呼をかけると、電話回線網の局交換機は他の着信が有ったことを知らせるために２１３０Ｈｚと２７５０Ｈｚのデュアルトーンから成るアラート信号を電話装置Ｉへ送る。通話の音声に重畳して電話装置Ｉの親機Ａへ送られて来るアラート信号は、前述の通話音声信号と同じ経路を経由して子機Ｂに送信される。
【００６０】
子機Ｂは親機Ａからの音声データを無線部１２で受信処理し、可聴音に戻してスピーカ１７から音声出力する。また電話装置Ｉの親機Ａではこのアラート信号を検知し、アラート信号を検知したことを知らせる１６３３Ｈｚと９４１Ｈｚの周波数から構成されるＡＣＫ信号を局交換機へ送出する。また局交換機は、発呼側の電話機ＩＩＩに対してリングバックトーンの送出を開始する。
【００６１】
局交換機はＡＣＫ信号を受信すると、直ぐに発呼側電話機ＩＩＩの情報であるＣａｌｌｅｒＩＤ信号（発呼者番号、発呼者の名前、時間など）を電話装置Ｉに対して送信する。電話装置ＩはＡＣＫ信号送信後に送られてくるＣａｌｌｅｒＩＤ信号（発呼者情報）を受信し、その情報を発呼者情報格納部（第１の格納部）２３ａに格納すると共に、文字情報として無線部１２を介して子機Ｂへ送り、子機Ｂの表示部３４にて表示出力される。尚、この発呼者情報の表示に関しては、図１１から図１６を参照して詳細に説明する。
【００６２】
通話中にアラート信号を聞いた電話装置Ｉのユーザがコールウエイティングに対して応答する場合は、次の応答の操作を行なう。即ち、子機Ｂを用いるユーザは子機Ｂの「ＦＬＡＳＨ」ボタンを押す。子機Ｂから「ＦＬＡＳＨ」ボタンの情報を受けた親機Ａは、電話線インタフェース１を制御し、電話線のループ電流を短時間遮断して局交換機へパルス信号を送る。局交換機はこのパルス信号に従って電話装置Ｉと電話機ＩＩＩの間で通話路を接続する。このようにして電話機ＩＩとの通話は中断され、電話装置Ｉと他の電話機ＩＩＩとの音声通話が可能になる。この間、局交換機は電話機ＩＩに対しては保留の状態を保つ。また電話装置Ｉは、発呼者情報格納部（第１の格納部）２３ａにおいて電話機ＩＩＩに関する情報に中にコールウエイティングに応答したことを示す応答済情報を加える。
【００６３】
通話中にアラート信号を聞いた電話装置Ｉのユーザは、そのまま他の電話機ＩＩとの通話を続けるのであれば何の操作もしないであろう。電話装置Ｉのユーザがコールウエイティングに対する応答の操作を行わないままであれば、局交換機は他の電話機ＩＩＩに対してリングバックトーンを送出し続け、他の電話機ＩＩＩのユーザは電話装置Ｉが不在であると思うので発信を中止する。
【００６４】
通話中にコールウエイティングのアラート信号を聞いた電話装置Ｉのユーザが他の電話機ＩＩＩに切り換えないまま他の電話機ＩＩとの通話を続ければ、電話装置Ｉの発呼者情報格納部（第１の格納部）２３ａにおける他の電話機ＩＩＩに関する情報は、未応答となり、通話が終了して回線が切断された後も第１の格納部２３ａには電話機ＩＩＩの情報に対して未応答情報が残る。
【００６５】
また、通話の終了は、図５に示すように通話相手からの操作で切断する場合、また図６に示すように電話装置Ｉのユーザ自らの操作を切断する場合がある。
【００６６】
図５に示すように通話相手の電話機ＩＩで切断の操作がされた場合、前述のように局交換機によって供給される直流電圧は極性反転され、局側から終話音が送られる。また、図６に示すように電話装置Ｉのユーザ自らの操作で切断する場合は、電話装置の子機Ｂを使用しているユーザ自身が子機Ｂ上の「終了」キーを押すことにより親機Ａの制御部へ通話終了を意味する信号が送られ、親機Ａは直流ループを切断することにより局交換機へ通話の切断を通知する。
【００６７】
電話装置Ｉは、前述のように親機Ａ内に音声合成機能を備えたＤＳＰを有し、ユーザが子機Ｂを用いて電話機ＩＩと通話中に他の電話機ＩＩＩの発呼者情報を受信した場合、電話装置Ｉと電話機ＩＩとの通話終了後に、電話装置Ｉの親機は制御プログラムを実行して、発呼側の電話番号や名前等のテキストデータに対応する音素データ、および定型のメッセージパターンを組み合わせ、親機内のＤＳＰにより音声に変換して発呼情報通知のための音声メッセージをアナウンス（発声）する。
【００６８】
この発呼側の電話番号や名前等の読み上げ音声信号は、必要に応じてＣＰＵブロック２ｃより、コーデック２ｂ、アナログマルチプレクサ２ａを経由して親機Ａのスピーカ９から音声として出力される。更に、子機Ｂに送られる場合は、ＣＰＵブロック２ｃより、音声符号化／復号化処理部２ｄ、無線部１２によって子機Ｂに送信され、子機Ｂにて音声復号化処理が試され、リンガー用スピーカ１８または通話用のスピーカ１７から音声として出力される。この動作については後で詳細に説明する。
【００６９】
また、このアナウンスのために、前述のＣａｌｌｅｒＩＤ信号を受信した段階で発呼側の電話番号や名前等の音素データを組み合わせて読み上げ音声信号を生成する準備処理を行なう。この準備処理に関しては、図１７のＳｔｅｐ９および図２１に示す。
【００７０】
次に、本電話装置に関する各種の設定について説明する。尚、以下のユーザによる設定は、上述の通り、ユーザが使用する電話装置の入力操作部２７からの入力により行われ、その設定された情報は設定部２８を介して設定情報格納部（第４の格納部）２３ｄに格納される。
【００７１】
＜出力機器（親機、子機）の選択設定＞
本電話装置は、上述の通り、親機Ａおよび子機Ｂがそれぞれ表示部とスピーカ部とを備えており、ユーザは、発呼者情報の出力において親機又は子機のどちらの表示部およびどちらのスピーカ部を動作させるかを設定することができる（図２４、図２５参照）。
【００７２】
図７を参照して、発呼者情報である電話番号や名前等の表示について並びにその電話番号および名前の読み上げ（アナウンス）について、それぞれ、子機のみ（設定１）、親機のみ（設定２）、子機および親機（設定３）、更に、上述の電界強度検知部２２ｄの検出結果により電界強度が低い場合（子機のみ：設定４）、電界強度が高い場合（親機のみ：設定５）が設定できる。これらの設定情報は、入力操作部２７、２８からユーザが入力設定し、親機Ａにおいては第４の格納部（設定情報格納部）２３ｄに、また子機Ｂにおいては出力情報格納部３８に格納される。
【００７３】
＜アナウンス・パターンの選択設定＞
本電話装置では、前述のように、通話中に第３者からの呼出（ｃａｌｌ）を受けた場合、コールウエイティング機能が作動し、ＡＣＫ信号送信後に送られてくるＣａｌｌｅｒＩＤ信号の情報を第１の格納部２３ａに格納する。その第３者の呼出に応答しないまま現行の通話を続けた場合は、未応答の情報が残り、該通話が終了して回線が切断された後、その未応答情報に従って親機または子機の各スピーカ部から所定のアナウンスがなされる。
【００７４】
図８および図９は、本実施例における電話装置の複数のアナウンス・パターンを示す。本電話装置のアナウンス・パターンは、パターン１として「ピッ、ピッ」という確認音のみ、パターン２として発呼者情報を含まない所定のフレーズであり、例えば、「電話がありました。」である。また、パターン３としては、名前と所定のフレーズを含み、例えば、「ｘｘｘｘさんから、電話がありました。」である。更に、パターン４としては、所定のフレーズに名前と電話番号を含むものであり、例えば、「ｘｘｘｘさんから電話がありました。電話番号は、ｘｘｘ−ｘｘｘｘです。」である。それぞれのユーザが好みに応じて又はその電話装置の使用状況により選択され、電話帳のテーブル内に発呼者情報と共に設定登録される。
【００７５】
＜電話帳の設定情報＞
図１０は、本発明の実施例の電話装置の電話帳の構成説明図である。この電話帳には、「電話番号」、「名前」、音声および表示出力機器を示す「子機／親機」、前述のアナウンス（発声）のパターンを示す「アナウンス・パターン」、出力優先順位の設定情報、アナウンス用に修正した「名前情報」が記録される。
【００７６】
更に、例えば、電話番号「０９１−１２３−４５６７」に関する名前は、「Ｈａｎｋ  Ｙａｍａｕｃｈｉ」が設定登録されており、表示部としては設定１（子機）」が、スピーカによる音声出力は「設定１（子機）」が設定され、アナウンス・パターンは「パターン３」が設定されている。また複数の発呼者情報を出力する場合の優先順位「３」が設定されている。電話帳の情報は図２に示す第２の格納部２３ｂに格納される。
【００７７】
尚、番号６の「Ｋｉｎ−Ｙｏｕ  Ｃｏ．，ｌｔｄ」については、各種設定がなされていないため、ここから呼び出しコールがあっても、本電話装置は、通常のコールウエイティング機能は作動するが、本発明の特徴的な機能は作動しない設定となっている。
【００７８】
また、図１０に示す電話帳のテーブル内の「優先順位」は、表示部に表示する又はスピーカ部から発声する発呼者情報の優先順位を設定するものであり、通話中に複数の第３者からの呼び出しコールを受け、複数の発呼者情報を出力する場合、この優先順位をもって出力される。
【００７９】
＜発呼者情報の修正パターン＞
本電話装置では、親機Ａが電話回線を介して受信した発呼者情報は、発呼者情報格納部（第１の格納部）２３ａに一旦格納される。その後、その発呼者情報は、ユーザの設定により、例えば、スピーカ部２４ｓから発声される。また、その格納した発呼者情報は、ユーザの設定により、親機の送受信部３０、子機の送受信部３１を介して通話用スピーカ３２ｓ又はリンガー用スピーカ部３３から発声（アナウンス）される。
【００８０】
尚、その格納された発呼者情報は、図１０に示す電話帳において設定されたアナウンス・パターンの設定に従って修正部２９により自動的に修正されて、各スピーカ部から発声される。
【００８１】
図１１を参照して、修正パターンＡは、所定の記号をスペース又は文字列に変更するものであり、例えば、「．（ドット）」をスペースに変更し、「＆」を「ａｎｄ」にする。尚、図１２には、受信した相手の電話番号と相手の名前が表示されているが、実際に、表示部に表示されるのは、修正後の図１３に示す電話番号と修正された名前である。
【００８２】
また、修正パターンＢは、所定の文字列を削除又は変更するものであり、例えば、「Ｃｏ．，ｌｔｄ」を削除する。尚、図１４には、受信した相手の電話番号と相手の名前が表示されているが、実際に、表示部に表示されるのは、修正後の図１５に示す電話番号と修正された名前である。
【００８３】
更に、ユーザの操作により、発呼者情報を第２の格納部２３ｂに登録する際には、上記修正した発呼者情報を格納することができる（詳細は後述）。これにより、登録した電話番号による発呼を受けた場合、上記修正した発呼者情報をアナウンス用名前としてアナウンスすることになる。
【００８４】
図１６は、ＣａｌｌｅｒＩＤ信号の情報と電話帳の比較の結果が一致しない場合のためにユーザによって設定された音声および表示出力機器、および読み上げの際のパターン（アナウンスパターン）の設定例を示す。これらは予めユーザによって入力され、第４の格納部２３ｄ内に格納される。ＣａｌｌｅｒＩＤ信号の情報と電話帳の比較の結果が一致しない場合はここで設定された音声出力のパターンに従う。
【００８５】
＜本電話装置の全体動作の説明＞
以下、図１７から図２３を参照して、本実施例の装置の動作について、フローチャートに沿って詳細に説明する。尚、各動作は、各制御部２０又は４０による。
【００８６】
まず初めに、ユーザは電話装置の子機Ｂを用いて通話をし、電話装置はオフフックしている状態にある（Ｓｔｅｐ１）。その通話状態にて、第３者からその電話装置に対して発呼が有った場合、前述のように局交換機は他の発呼者から着信が有ったことを知らせるアラート信号を電話装置へ送る。局交換機からのアラート信号を受信した通信部２１は、その情報を親機Ａの制御部２０へ伝え、制御部２０は本電話装置が通話中であること、また、第３者からの呼び出しコールが有ったことを検出する（Ｓｔｅｐ２）。また、このアラート信号は音声通話路に乗って親機Ａから子機Ｂへ送られ、子機Ｂのスピーカより「ピッ、ピッ」という可聴音として発音される。この可聴音により、ユーザは第３者からコールが有ったことを知ることができる。また電話装置の親機Ａは、アラート信号を検知したことを知らせるＡＣＫ信号を局交換機へ送出する。
【００８７】
次に、Ｓｔｅｐ３にて、親機Ａは局交換機より送られてくるＣａｌｌｅｒＩＤ信号（発呼側電話機の発呼者番号，発呼者の名前，その時の時間など）を親機Ａの通信部２１にて受信し、これらの発呼者情報および時間情報を発呼者情報格納部である第１の格納部２３ａに格納する（図２参照）。
【００８８】
次に、Ｓｔｅｐ４にて親機の比較部２６は、第１の格納部２３ａに格納した発呼者情報のうちの電話番号と、電話帳情報を格納した第２の格納部２３ｂ内の複数の相手先情報とを比較し、その電話帳内に一致した電話番号がある場合（Ｓｔｅｐ４：ＹＥＳ）、その電話帳内の一致した電話番号に対応する発呼者情報を利用することになる（Ｓｔｅｐ５）。
【００８９】
また、親機の比較部２６による上記比較にて、第２の格納部２３ｂ内に一致する電話番号が無い場合（Ｓｔｅｐ４：ＮＯ）、前述のＣａｌｌｅｒＩＤ信号によって送られ第１の格納部（発呼者情報格納部）２３ａに格納された電話番号および名前等が利用される（Ｓｔｅｐ６）。
【００９０】
更に、比較部２６による比較の結果は、第７の格納部（比較結果格納部）２３ｇに格納される（尚、図１１の２つの選択情報およびアナウンスパターンは、ユーザによる入力操作部２７の操作により設定部２８を介して予め第４の格納部（設定情報格納部）２３ｄに既に格納されている。）。
【００９１】
次に、図１７および図２０を参照して、Ｓｔｅｐ７における発呼者情報の表示準備処理について説明する。図２０において、まず設定状況検知部２２ｆが前述の比較の結果を第７の格納部２３ｇから読み出してその結果が「一致」で有ったか否かを検出し（Ｓｔｅｐ７ａ）、上記比較結果が一致で有った場合（Ｓｔｅｐ７ａ：ＹＥＳ）、設定状況検知部２２ｆは電話帳情報が格納された第２の格納部２３ｂより出力対象機器の情報を読み出す（Ｓｔｅｐ７ｂ）。
【００９２】
また、上記比較結果が一致でなければ（Ｓｔｅｐ７ａ：ＮＯ）、設定状況検知部２２ｆは、第４の格納部２３ｄ（設定情報格納部）内に格納された設定情報の１つである出力対象機器を検出する（Ｓｔｅｐ７ｃ）。即ち、この検出により、受信した発呼者情報をどの出力機器（親機又は子機）にて表示するかが確認されることになる。
【００９３】
図１７に戻って、各制御部２０又は４０はＳｔｅｐ８にて、表示部２５に表示すべき電話番号や名前等を表示させる。ＣａｌｌｅｒＩＤ信号の電話番号に一致した番号が電話帳内にある場合はその電話帳から読み出された発呼者情報が表示され、一致する電話番号が無い場合はＣａｌｌｅｒＩＤ信号の電話番号および名前等が表示される。このように表示部２５には文字により電話番号や名前等が表示されるので、ユーザが表示部２５を見ることで誰からのコールかを判断することができる。
【００９４】
Ｓｔｅｐ９では受信したＣａｌｌｅｒＩＤ信号から得た情報を基に、通話終了後に発呼者情報をアナウンス（発声）するために音素データを組み合わせる等の準備処理を行なう。以下、Ｓｔｅｐ９における発呼者情報をアナウンスするための準備処理について説明する。
【００９５】
図２１を参照して、Ｓｔｅｐ９ａにて制御部２０は第７の格納部２３ｇに格納された比較結果が「一致」で有ったか否かを判断する。
【００９６】
上記比較結果が一致（Ｓｔｅｐ９ａ：ＹＥＳ）であって、第２の格納部２３ｂの発呼者情報を利用することとなった場合（Ｓｔｅｐ９ｂ）、受信した発呼者情報のうちの電話番号が「０９１−１２３−４５６７」とすると、図１０に示す例ではこの電話番号に関する発呼者情報の名前は「Ｈａｎｋ  Ｙａｍａｕｃｈｉ」として設定登録されている。また、表示出力としては「設定１（子機）」が、またスピーカによる音声出力に関しては「設定１（子機）」が設定され、更にその音声出力のパターンは「パターン３」が設定されている。
【００９７】
Ｓｔｅｐ９ｂにおいては、設定状況検知部２２ｆが第２の格納部２３ｂ（電話帳情報）内のこれらの設定情報を検出し、かつ制御部２０は、上記受信した電話番号に対応する電話番号および名前の情報を第２の格納部２３ｂから取得し、後で再生するための準備として第６の格納部（出力情報格納部）２３ｆに格納する。更に、その出力については、第２の格納部２３ｂ（電話帳情報）内に設定されている出力機器が選択される。
【００９８】
一方、Ｓｔｅｐ９ａにて上記比較結果が一致しない（ＮＯ）ならば、一致しない場合のためにユーザによって設定され第４の格納部２３ｄ（設定情報格納部）内に格納された音声出力のパターンに従う（Ｓｔｅｐ９ｃ）。図１６は比較結果が一致しない場合の設定例であり、ここでは比較結果が一致しない場合は「パターン４」が設定されている。更に、その出力機器としては第４の格納部２３ｄに設定されている出力機器が選択される。図１６の例では、表示部としては「設定２（親機）」が、スピーカによる音声出力は「設定２（親機）」が選択される。
【００９９】
Ｓｔｅｐ９ｄでは、設定状況確認部２２ｆが第２の格納部２３ｂ（電話帳）又は第４の格納部２３ｄ（設定情報格納部）に設定されている「アナウンスパターン」の情報に応じて処理を切り換え、パターン１であればＳｔｅｐ９ｅ、パターン２であればＳｔｅｐ９ｆ、パターン３であればＳｔｅｐ９ｇ、そして、パターン４であればＳｔｅｐ９ｈに移行して、それぞれの出力フォームにて出力されることになる。
【０１００】
尚、Ｓｔｅｐ９ｉにおいて、上記パターン３および上記パターン４の場合、設定状況検知部２２ｆは、設定された「修正パターン」を検出して、修正部２９はそのパターンに沿って、第１の格納部２３ａ（発呼者情報格納部）に格納された発呼者情報の一部である名前を修正し、出力準備のための第６の格納部２３ｆ（出力情報格納部）に格納する。また、その名前が第２の格納部２３ｂ（電話帳）から入手されたものであって、修正された後の名前である場合、その修正された名前が第６の格納部２３ｆ（出力情報格納部）にそのまま格納される。
【０１０１】
更に、上記出力予定の情報は、上述のように親機側の第６の格納部２３ｆに格納されるが、第４の格納部２３ｄ（設定情報格納部）内の設定情報において、子機の表示部に表示又は子機のスピーカ部から音声出力となっている場合、上記出力予定の情報は、親機Ａの送受信部３０から子機Ｂの送受信部３１に転送送信されて、出力情報格納部３８に格納される。
【０１０２】
ここで、次のＳｔｅｐの説明に入る前に、図２３にて、本電話装置において通話終了後に発呼者情報を音声出力する場合および音声出力しない場合を含む具体的な３つの動作パターンについて説明する。
【０１０３】
まず、パターンＡにおいては、ユーザは、通話相手と通話中に第３者から呼び出しコールを受けたがそれに応答せず、切断信号を受けるか又はＯＮフックすることによって通話を終了した。その後、所定時間の８秒以内にその第３者へのコールバックが無いと、上記ＯＮフック後１０秒経過した後に電話装置のスピーカからアナウンスが発声する。その後、ユーザが第３者の発呼者情報の表示に気づいて、その第３者にコールバックすると、その表示が消える。
【０１０４】
次に、パターンＢにおいては、ユーザは通話を終了した後、上記所定時間８秒以内に第３者へコールバックする。この場合は表示された第３者の発呼者情報が消えて、かつ、電話装置のスピーカからのアナウンスも発声しない。
【０１０５】
更に、パターンＣにおいては、通話を終了後、ユーザは所定時間８秒以内に第３者でない他の相手に呼び出しコールする。８秒が経過した時点では電話装置のスピーカからのアナウンスも発声しない。他の相手との通話を終了し（切断信号を受けるか又はＯＮフックする）、その後所定時間８秒内に第３者にコールバックしないと、その２秒後に電話装置のスピーカからアナウンスが発声する。その後、ユーザが第３者にコールバックすると、所定時間後に表示されたその第３者の発呼者情報は消える。以上のように、パターンＡとパターンＣの場合に電話装置のスピーカから第３者の発呼者情報がアナウンスされる。
【０１０６】
次に、本電話装置の動作の説明に戻り、図１８において、Ｓｔｅｐ１２は、通話相手がＯＮフック（通話切断）することによって電話回線を伝って送信されてくる切断信号（又は切断トーン）を検出するＳｔｅｐであり、検出部２２の切断信号検知部２２ａが通話相手の電話装置のＯＮフックによる切断信号を検出すると、その検出結果を制御部２０へ通知する。その通話相手のＯＮフックによる切断信号は、例えば、図５に示すように局交換機によって供給される直流電圧の極性反転、またはＯＮフック後に送られてくる終話音である。
【０１０７】
このＳｔｅｐ１２にて、切断信号検知部２２ａが通話中に上記切断信号を検出しれなければＳｔｅｐ１３に移行する。Ｓｔｅｐ１３では、本電話装置のユーザ自身の操作で電話装置をＯＮフックしたか否かをＯＮフック検知部２２ｂが検出する。ユーザ自身が子機Ｂ上の「終了」キーを押すことにより子機Ｂから親機Ａへ通話終了を指示する制御信号が送られ、親機Ａが通話切断の動作を行なう。Ｓｔｅｐ１２で通話相手のＯＮフックを検出した場合、またはＳｔｅｐ１３にてユーザによる電話機のＯＮフックを検出した場合、Ｓｔｅｐ１４に移行する。
【０１０８】
Ｓｔｅｐ１４およびＳｔｅｐ１５では、切断信号検知部２２ａが上記切断信号を検出した後所定時間（８秒）内にユーザが使用する電話装置によるＯＦＦフックが有ったか否かを検知する。即ち、Ｓｔｅｐ１４においてＯＦＦフックを検出せず、そのままＳｔｅｐ１５にて所定時間が経過した場合は、Ｓｔｅｐ１６に移行する。
【０１０９】
Ｓｔｅｐ１６では、上記切断信号検出（ＯＮフック検出）から１０秒経過後に、上述の設定条件に沿った所定のアナウンスが出力される（図２３のパターンＡ参照）。尚、そのアナウンスについては、親機Ａは制御部の制御プログラムを実行し、前述の準備処理において第６の格納部２３ｆ（出力情報格納部）に格納された発呼者情報に対応する電話番号や名前等のテキストデータに対応する音素データおよび定型のメッセージパターンを組み合わせた発呼情報通知のための音声メッセージをアナウンス（発声）する。その際、図８および図９に示すように、当該相手先に応じたアナウンス・パターンが選択され、またアナウンス用に修正した名前情報が読み出され、これらを基に音声合成部３２により音声メッセージが生成される。その音声メッセージは、親機ＡのＣＰＵブロック２ｃより、音声符号化／復号化処理部２ｄ、無線部１２によって子機Ｂに送信され、子機Ｂにて音声復号化処理が試され、子機Ｂの通話用のリンガー用のスピーカ１８から音声として出力される。
【０１１０】
尚、図１０に示す電話帳情報におけるアナウンス・パターンが「パターン１」である場合、「ピッ、ピッ」のような信号音が子機Ｂに送信され、子機Ｂの通話用のスピーカ１７から出力される。
【０１１１】
上述のＳｔｅｐ１４において、ユーザによるＯＦＦフックが検知された場合にはＳｔｅｐ１７へ移行する。Ｓｔｅｐ１７では、所定時間内に呼出し（コール）の操作が試されたか、またそれは上記第３者へのコールバックであるか否かを判断する。すなわち比較部３９によって、入力操作部３７から入力された呼出しの電話番号が第１の格納部２３ａに一時的に格納された上述の第３者の電話番号と同一か否かを検出することにより、上記呼出しが上記第３者へのコールバックであるか否かを判断する。尚、Ｓｔｅｐ１４においてユーザによるＯＦＦフックが検知され無い場合は、Ｓｔｅｐ１５にて所定時間内が経過したか否かを調べ、所定時間内が経過していない場合はＳｔｅｐ１４へ戻る。
【０１１２】
もし、上記呼出しが上記第３者へのコールバックであると判断された場合、上記アナウンスは停止されて、Ｓｔｅｐ１８に移行し、今まで継続して表示部に表示されていた第３者の名前等の発呼者情報は上記発呼後所定時間（５秒）経過後に消去される（図２３のパターンＢ参照）。
【０１１３】
一方、Ｓｔｅｐ１７にて、上記呼出しは上記第３者へのコールバックでないと判断した場合、上記アナウンスは保留され、通話終了を検知するＳｔｅｐ（Ｓｔｅｐ１２）に戻る。通話中にアナウンスが実行されることは無く、通話終了が検知されてから、Ｓｔｅｐ１４，１５で所定時間（８秒）内にユーザが使用する電話装置によるＯＦＦフックが有ったか否かを検知する。Ｓｔｅｐ１４にてＯＦＦフックが無く、そのままＳｔｅｐ１５にて所定時間が経過した場合は、前述と同様にＳｔｅｐ１６において、上述の設定条件に沿った所定のアナウンスが出力される。この場合も前述同様に、図８、図９および図１０に示すように当該相手先に応じたアナウンス・パターンが選択され、また、アナウンス用に修正した名前情報が読み出され、これらを基に音声メッセージが生成される。
【０１１４】
尚、図１０の電話帳情報において、当該発呼者情報の相手先に関する子機／親機  スピーカ選択情報が「設定５（親機）」である場合は、発呼者情報に対応する電話番号や名前等の音声メッセージは親機Ａにてアナウンス（発声）する。即ち、ＣＰＵブロック２ｃより、コーデック（ＣＯＤＥＣ）２ｂ、アナログマルチプレクサ（Ａｎａｌｏｇ  Ｍｕｌｔｉ−Ｐｌｅｘｅｒ）２ａを経由して親機Ａのスピーカ（Ｓｐｅａｋｅｒ）９から音声として出力される。
【０１１５】
また、この場合も、図１０に示す電話帳情報におけるアナウンス・パターンが「パターン１」である場合は、「ピッ、ピッ」のような信号音が親機Ａのスピーカ９から出力される。
【０１１６】
ここで、図２３に示すパターンＣのように、例えば、ユーザが本電話装置の子機を持ったまま、上記所定時間内に第３者以外の者への呼出しを繰り返すと、Ｓｔｅｐ１２、Ｓｔｅｐ１３、Ｓｔｅｐ１５のプロセスを繰り返すことになる。その後、ユーザがその電話装置の子機を「終了」の状態にした後（ＯＮフックした後）、何れへの呼び出しコールをしないまま所定時間が経過すると、前述の第３者の情報を知らせるアナウンスが発生する。
【０１１７】
以上のように、本実施例の電話装置は、親機内に音声合成機能を備えるＤＳＰを有するものであって、ユーザがコールウエイティングに応答せずに通話を続け、その後、ユーザが自ら通話を終了する操作をした場合、その通話終了後に親機は自動的に子機に対して注意を喚起する信号音（確認音）を送り、又は、所定時間待って発呼者情報を親機内のＤＳＰにより音声に変換して子機へ送り、子機のモニタ用のスピーカから音声出力する。
【０１１８】
これにより、子機のユーザは、通話に集中してコールウエイティングのこと（通話中に第３者から呼び出しが有ったこと）を忘れてしまっていても、確認音や発呼者名の音声メッセージによりコールウエイティングが有ったことを思い出し、大切な用件がある場合には、直ぐに呼び返しを行なうことができる。
【０１１９】
また、切断信号検知部２２ａが通話相手側からの切断を検出した場合は、親機と子機との無線通話路は直ぐには切断せず、親機は、子機との通話路を切断する前に発呼者情報を親機内のＤＳＰにより音声に変換し、前記通話路を使って子機へ送り、この場合は、例えば、子機の通話用のスピーカから音声出力する。この場合、ユーザは耳元に位置する通話用のスピーカにより、信号音や発呼者名の音声メッセージを聞くことにより上記コールウエイティングが有ったことを思い出すことになる。
【０１２０】
尚、Ｓｔｅｐ２に戻って、呼出信号検知部２２ｅによる第３者からの呼出しを検出しない場合、Ｓｔｅｐ１０に移行し、切断信号検知部２２ａよって切断信号が検出された場合、またＳｔｅｐ１１にてＯＮフック検知部２２ｂによってＯＮフック信号が検出された場合、通話状態を終了して本電話装置は待機状態となる。
【０１２１】
次に、Ｓｔｅｐ２３にて、ユーザの電話装置がＯＮフックされたことをＯＮフック検知部が検出すると、待機状態に移行する。
【０１２２】
しかし、Ｓｔｅｐ２３にてユーザによるＯＮフックが検出されないまま、Ｓｔｅｐ２４においてＯＦＦフック状態が発呼から所定の時間以上経過し、かつ、入力操作部２７、３７の所定の操作ボタン（図示せず）を押下すると、上記第３者の電話番号の登録処理に移行する。
【０１２３】
＜発呼者情報の登録処理＞
次に、Ｓｔｅｐ２５における発呼者情報の登録処理について詳細に説明する。
【０１２４】
図２２において、Ｓｔｅｐ２５ａは、以前のＳｔｅｐ４における比較結果が「一致」で有ったか否かによって処理を切り換える。その比較結果が「不一致」の場合、その時に外線側から入手した発呼者情報の電話番号および名前等（第１の格納部２３ａに一時的に格納）は第２の格納部２３ｂに未登録であると判定され、発呼者情報を登録する処理が継続される。
【０１２５】
尚、前述のように外線側から入手した発呼者情報の電話番号および名前等は一時的に発呼者情報格納部（第１の格納部）２３ａに格納される。また、既に登録された発呼者情報は電話帳（第２の格納部）２３ｂに格納されている。
【０１２６】
次のＳｔｅｐ２５ｂでは、まず、ユーザに対して「ピッ、ピッ」という確認音を発して、注意を呼びかけた後に、「登録しますか」という音声ガイダンスを流す。この音声ガイダンスは、制御部が音声情報格納部（第３の格納部）２３ｃから該当情報を取得してスピーカ部に送り、音声出力される。
【０１２７】
次に、Ｓｔｅｐ２５ｃにて、ユーザは、入力操作部２７の所定のボタンを押下して登録又は登録不要の指示を与える。次に、Ｓｔｅｐ２５ｄにて、制御部は、出力情報格納部３８から取り出された電話番号および修正された名前を設定された表示部に表示する。
【０１２８】
次に、Ｓｔｅｐ２５ｅでは、制御部は、設定されたスピーカ部から、任意に修正するか否かの音声ガイダンスを流す。次に、Ｓｔｅｐ２５ｆにて、ユーザが入力操作部２７からの入力により修正した後に、入力操作部２７の所定のボタンを押下すると、Ｓｔｅｐ２５ｇにてその電話番号が第２の格納部２３ｂ（電話帳）に格納される。その後、待機状態に入る。
【０１２９】
また、一方、Ｓｔｅｐ２５ａにて、その比較結果が「一致」の場合、登録機能は作動せず、直ぐに待機状態となる。
【０１３０】
尚、Ｓｔｅｐ３にて第１の格納部２３ａに一時的に格納された電話番号を含む発呼者情報は、図１９に示すように自動的に消去される（Ｓｔｅｐ２６）。
【０１３１】
この実施例における発呼者情報登録方法は、ユーザが通話中に応答できなかった第３者の電話番号等を極めて容易な操作により電話帖に登録できるために、極めて使い勝手が良い。
【産業上の利用可能性】
【０１３２】
本発明は、第３者の発呼者情報を受信した後、ＯＮフック検知部が通話相手の外線電話のＯＮフックを検出すると、当該検出時から所定の時間経過後にリンガー用のスピーカから所定の音を出力させるようにしたために、電話およびファックス機器等において、高い利用可能性がある。
【符号の説明】
【０１３３】
２１    通信部
２２    検知部
２３    格納部
２４    音声合成部
２５    表示部
２６    比較部
２７    入力操作部
２８    設定部
２９    修正部
３０    送受信部
【図１】
2011250349.tif 000003
【図２】
2011250349.tif 000004
【図３】
2011250349.tif 000005
【図４】
2011250349.tif 000006
【図５】
2011250349.tif 000007
【図６】
2011250349.tif 000008
【図７】
2011250349.tif 000009
【図８】
2011250349.tif 000010
【図９】
2011250349.tif 000011
【図１０】
2011250349.tif 000012
【図１１】
2011250349.tif 000013
【図１２】
2011250349.tif 000014
【図１３】
2011250349.tif 000015
【図１４】
2011250349.tif 000016
【図１５】
2011250349.tif 000017
【図１６】
2011250349.tif 000018
【図１７】
2011250349.tif 000019
【図１８】
2011250349.tif 000020
【図１９】
2011250349.tif 000021
【図２０】
2011250349.tif 000022
【図２１】
2011250349.tif 000023
【図２２】
2011250349.tif 000024
【図２３】
2011250349.tif 000025
【図２４】
2011250349.tif 000026
【図２５】
2011250349.tif 000027